(57)【特許請求の範囲】
【請求項１】
基礎の頭髪（１）にヘアエクステンション（２）を取り付けるための方法であって、
キャリアホイル（３）を多数のヘアエクステンション（２）とともに提供し、ヘアエクステンション（２）が連結エレメント（４）によってキャリアホイル（３）の上に固定される工程と、
ヘアエクステンション（２）とともにキャリアホイル（３）を、アプリケーションクランプ（１０）の下側凹部（１３）を有する下側アーム（１１）に位置決めして、連結エレメント（４）が下側凹部（１３）の位置に位置決めされる工程と、
アプリケーションクランプ（１０）を基礎の頭髪（１）に固定し、その後、基礎の頭髪の束（１ａ）をヘアエクステンション（２）の上に配置する工程と、
上側アーム（１２）の上側開口部（１４）が連結エレメント（４）上に位置決めされて溶融チャンバー（２８）が構成されるよう、ヒンジにより相互に連結された上側アーム（１２）および下側アーム（１１）をともに把持することによりアプリケーションクランプ（１０）を閉鎖する工程と、を備え、
ピンチアプリケータ（３０）をアプリケーションクランプ（１０）に連結する工程と、  ピンチアプリケータ（３０）の加熱用突起部（３２）をアプリケーションクランプ（１０）の上側開口部（１４）の中に移動させ、そして加熱用突起部（３２）を連結エレメント（４）に押圧することにより、連結エレメント（４）を加熱する工程と、
ピンチアプリケータ（３０）を分離する工程と、
アプリケーションクランプ（１０）の上側アーム（１２）を開放し、そしてキャリアホイル（３）を下側アーム（１１）から取り外すことによって、アプリケーションクランプ（１０）を基礎の頭髪（１）から取り外す工程と、をさらに備えたことを特徴とする、基礎の頭髪（１）にヘアエクステンションを取り付けるための方法。
【請求項２】
キャリアホイル（３）から連結エレメント（４）を引き抜くことによりヘアエクステンション（２）をキャリアホイル（３）から取り外す工程を備えたことを特徴とする請求項１に記載の基礎の頭髪（１）にヘアエクステンション（２）を取り付けるための方法。
【請求項３】
アプリケータクランプ（１０）の上側アーム（１２）の内側に、柔軟な材料からなるカバーホイル（１６）が設けられていることを特徴とする請求項１または２に記載の基礎の頭髪（１）にヘアエクステンション（２）を取り付けるための方法。
【請求項４】
カバーホイル（１６）は、ゴムからなっており、とりわけシリコンゴムからなっていることを特徴とする請求項３に記載の基礎の頭髪（１）にヘアエクステンション（２）を取り付けるための方法。
【請求項５】
ヘアエクステンション（２０）を基礎の頭髪（１）に取り付けるためのアプリケーションクランプ（１０）であって、
ヘアエクステンション（２）とともにキャリアホイル（３）を受け入れるよう適合された下側アーム（１１）と、
上側アーム（１２）と、
下側アーム（１１）および上側アーム（１２）を相互に連結するクランプヒンジ（１７）と、
アーム（１１，１２）をともに把持する把持手段（１８）と、を備え、
下側アーム（１１）は、ヘアエクステンションをキャリアホイルに連結する連結エレメント（４）を受け入れるよう適合された下側凹部（１３）を有し、
上側アーム（１２）は、上側開口部（１４）を有し、
閉鎖位置において、上側開口部および下側凹部は、溶融チャンバー（２８）を構成するよう近接して勘合していることを特徴とするアプリケーションクランプ（１０）。
【請求項６】
下側アーム（１１）は、上部くしエレメント（２７）と下部くしエレメント（３７）とを有し、
前記上部および下部エレメント（２７，３７）は、基礎の頭髪の束（１ａ）がくしエレメント（２７，３７）の間でヘアエクステンション（２）の方へ位置決めされるよう、実質的に対向するよう配置されていることを特徴とする請求項５に記載のアプリケーションクランプ（１０）。
【請求項７】
上側アーム（１２）及び下側アーム（１１）は、弧状の形状または凹状の形状を有することを特徴とする請求項５または６に記載のアプリケーションクランプ（１０）。
【請求項８】
下側凹部（１３）および／または上側開口部（１４）は、それらの内側において、隆起された端部（１９，２０）を有することを特徴とする請求項５乃至７のいずれかに記載のアプリケーションクランプ（１０）。
【請求項９】
上側アーム（１１）の内側（１５）に、柔軟な材料からなるカバーホイル（１６）が設けられていることを特徴とする請求項５乃至８に記載のアプリケーションクランプ（１０）。
【請求項１０】
カバーホイル（１６）は、ゴムからなっており、とりわけシリコンゴムからなっていることを特徴とする請求項９に記載のアプリケーションクランプ（１０）。
【請求項１１】
カバーホイル（１６）は、上側アーム（１１）の上側開口部（１４）の位置に、凹部（３８）、または、低減された厚みを有するホイル部分を含んでいることを特徴とする請求項９乃至１０に記載のアプリケーションクランプ（１０）。
【請求項１２】
相互連結を伴うクランプ手段（１８）が、下側アーム（１１）および上側アーム（１２）をともに把持するために設けられていることを特徴とする請求項５乃至１１のいずれかに記載のアプリケーションクランプ（１０）。
【請求項１３】
クランプ手段（１８）は、偏心ハンドル（２１）と、第１ハンドルヒンジ（２３）によって偏心ハンドル（２１）に連結されたハンドルアーム（２２）と、ハンドルアーム（２２）を下側アーム（１１）に連結するための第２ハンドルヒンジ（２４）と、を備えていることを特徴とする請求項１２に記載のアプリケーションクランプ（１０）。
【請求項１４】
下側アーム（１１）に、長手方向において、とりわけ金属からなる支持エレメント（２５）が設けられており、
支持エレメントが、好ましくは、第２ハンドルヒンジ（２４）および／またはクランプヒンジ（１７）を備えていることを特徴とする請求項１３に記載のアプリケーションクランプ（１０）。
【請求項１５】
ヘアエクステンション（２）を基礎の頭髪（１）に取り付けるためのピンチアプリケータ（３０）であって、
ハウジング（３１）と、
弧状アーム（３３）と、
弧状アーム（３３）に連結され、加熱用はさみ口（３５）を摺動させるための機構（３４）と、
加熱用はさみ口（３５）と、を備え、
加熱用はさみ口（３５）が、アプリケーションクランプ（１０）の上側開口部（１４）に対応する加熱用突起部（３２）を有することを特徴とするピンチアプリケータ（３０）。
【請求項１６】
ピンチアプリケータ（３０）とクランプ（１０）とを連結することを可能にするため、連結手段（３６）が、アプリケーションクランプ（１０）の連結手段（２６）と協働するよう配置されていることを特徴とする請求項１５に記載のピンチアプリケータ（３０）。
【請求項１７】
ヘアエクステンション（２）を基礎の頭髪（１）に取り付けるためのヘアエクステンション組立体（５１）であって、
キャリアホイル（３）と、
頭髪の束からなるヘアエクステンション（２）と、
ヘアエクステンション（２）をキャリアホイル（３）に連結し、さらに基礎の頭髪（１）における取り付けの後にヘアエクステンションを基礎の頭髪（１）に連結する連結エレメント（４）と、を備え、
連結エレメント（４）とキャリアホイル（３）との間に、熱により取り外し可能な被覆部（５０）が設けられていることを特徴とするヘアエクステンション組立体（５１）。
【請求項１８】
連結エレメント（４）が、ホットメルト粘着剤の一部からなることを特徴とする請求項１７に記載のヘアエクステンション組立体。
【請求項１９】
キャリアホイル（３）がプラスチックからなり、
とりわけ、プラスチックのキャリアホイル（３）の柔軟性は、請求項５乃至１４によるアプリケーションクランプのカバーホイル（１６）の柔軟性よりも低くなっており、
とりわけ、キャリアホイル（３）がポリエステルからなることを特徴とする請求項１７または１８に記載のヘアエクステンション組立体。
【請求項２０】
熱により取り外し可能な被覆部（５０）が、その結合特性を１００〜２００度よりも高い温度で失うことを特徴とする請求項１７乃至１９に記載のヘアエクステンション組立体。
【請求項２１】
熱により取り外し可能な被覆部（５０）が、キャリアホイル（３）の上側の全域に実質的に設けられていることを特徴とする請求項１７または２０に記載のヘアエクステンション組立体。
【請求項２２】
キャリアホイル（３）上の熱により取り外し可能な被覆部（５０）が、とりわけアプリケーションクランプ（１０）の使用位置において、粘着能力を備えず、または粘着能力をほとんど備えず、このため、基礎の頭髪（１ａ）が熱により取り外し可能な被覆部（５０）にくっつかず、または、基礎の頭髪（１ａ）が熱により取り外し可能な被覆部（５０）から容易に取り外され得ることを特徴とする請求項２１に記載のヘアエクステンション組立体。
【発明の詳細な説明】
【技術分野】
【０００１】
本発明は、基礎の頭髪にヘアエクステンションを取り付けるための方法であって、以下の工程
―キャリアホイルを多数のヘアエクステンションとともに提供し、ヘアエクステンションが連結エレメントによってキャリアホイルの上に固定される工程、
―ヘアエクステンションとともにキャリアホイルを、アプリケーションクランプの下側凹部を有する下側アームに位置決めして、連結エレメントが下側凹部の位置に位置決めされる工程、
―アプリケーションクランプを基礎の頭髪に固定し、その後、基礎の頭髪の束をヘアエクステンションの上に配置する工程、
―アプリケーションクランプの上側開口部が連結エレメント上に位置決めされるよう、ヒンジにより相互に連結された上側アームおよび下側アームをともに把持することによりアプリケーションクランプを閉鎖する工程、
を備えた方法に関する。
【背景技術】
【０００２】
そのような方法は、例えば欧州特許１６９９３１１から知られている。この既知の方法において、連結エレメントを有するヘアエクステンションが、粘着性テープの上に設けられている。分離デバイスまたはアプリケーションクランプにおいて、第１に、ヘアエクステンションを有する第１テープが下側アーム上に取り付けられ、第２に、基礎の頭髪の束またはふさがヘアエクステンションの上に位置決めされる。その後、ヘアエクステンションを有する第２テープがその粘着側により基礎の頭髪の束および第１テープにくっつけられる。次に、クランプが取り除かれ、その後、連結エレメントの一部を溶融させ凝固させることによってヘアエクステンションが基礎の頭髪の束に取り付けられるよう、ピンチャー（つまむ物、ｐｉｎｃｈｅｒ）によって熱が印加される。この既知の方法は、多くの不利な点を有している。
【先行技術文献】
【特許文献】
【０００３】
【特許文献１】ＥＰ１６９９３１１
【発明の概要】
【発明が解決しようとする課題】
【０００４】
粘着性テープを基礎の頭髪およびヘアエクステンションの双方から取り除くことは、基礎の頭髪が粘着性テープにくっつくため、骨の折れることであり、また不快なことである。さらに、圧力を印加することによる連結エレメントの取り付けおよび加熱は困難であり、従って、高価な、空気圧で駆動されるピンチャーが必要とされる。クランプの取り外し、および、その後のピンチャーの位置決めは、人にとって、時間がテープと頭皮との間に位置決めされる必要があるからである。
【０００５】
本発明の目的は、容易かつ低いコストで、好ましくは手動で作動されるピンチャーを用いることにより、ヘアエクステンションが基礎の頭髪に取り付けられ得るという方法を提供することである。この場合、同時に、クランプを取り除くことが不要になり、さらに、加熱が、ピンチャーを有するクランプにおいて実行される。これによって、テープと頭皮との間での加熱用はさみ口の位置決めが必要とされなくなる。
【発明を解決するための手段】
【０００６】
従って、ヘアエクステンションを基礎の頭髪に取り付けるための本発明による方法は、以下の工程
―ピンチアプリケータをアプリケーションクランプに連結する工程、
―ピンチアプリケータの加熱用突起部をアプリケーションクランプの上側開口部の中に移動させ、そして加熱用突起部を連結エレメントに押圧することにより、連結エレメントを加熱する工程、
―ピンチアプリケータを分離する工程、
―アプリケーションクランプの上側アームを開放し、そしてキャリアホイルを下側アームから取り外すことによって、アプリケーションクランプを基礎の頭髪から取り外す工程、
を備えている。
【０００７】
開口部を有するアプリケーションクランプの上側アームを提供することにより、ピンチアプリケータの加熱用突起部が、案内されて、ヘアエクステンションの連結エレメントに当接する。従って、クランプを取り外すこと、および、基礎の頭髪にくっついているホイルの上にピンチャーを配置することが不要である。さらに、粘着性でないキャリアホイルを用いることができ、この結果として、基礎の頭髪からのキャリアホイルの取り外しが単純化され、また、関係している人にとってさほど不快なものではなくなる。
【０００８】
好ましくは、前記方法は、キャリアホイルから連結エレメントを引き抜くことによりヘアエクステンションをキャリアホイルから取り外す工程を備えている。この工程により、基礎の頭髪にくっついているキャリアホイルを引き抜くという必要性無しで、キャリアホイルから連結エレメントが快適に取り外され得る。
【０００９】
好ましい形態が、アプリケータクランプの上側アームの内側に、柔軟な材料からなるカバーホイルが設けられている、ということにより特徴付けられる。好ましくは、カバーホイルは、ゴムからなっており、より好ましくはシリコンゴムからなっている。このカバーホイルを適用することにより、規則的に溶融され形付けられた連結エレメントの形成の強い改善が生じる。これによって、ヘアエクステンションが、より強く基礎の頭髪に取り付けられ、同時に、より規則的に形付けられた連結エレメントを得ることができる。シリコンゴムは、耐熱性を有しており、また、溶融した連結エレメントにくっつかない、またはほとんどくっつかない。
【００１０】
本発明はまた、ヘアエクステンションを基礎の頭髪に取り付けるためのアプリケーションクランプに関する。アプリケーションクランプは、連結エレメントによってキャリアホイルに連結されているヘアエクステンションとともにキャリアホイルを受け入れる下側アームと、上側アームと、下側アームおよび上側アームをヒンジにより相互に連結するクランプヒンジと、両方のアームをともに把持する把持手段と、を備えており、ここで、下側アームは、ヘアエクステンションの連結エレメントを受け入れるための下側凹部を有している。
【００１１】
これによって、連結エレメントは、流れ出ることができなくなり、強く、規則的に形付けられた連結エレメントがヘアエクステンションと基礎の頭髪との間に形成される。
【００１２】
好ましくは、下側アームは、上部くしエレメントと下部くしエレメントとを有している。これら上部および下部エレメントは、基礎の頭髪の束がくしエレメントの間でヘアエクステンションの方へ位置決めされるよう、実質的に対向するよう配置されている。
【００１３】
従って、基礎の頭髪の束は、（髪のふさの幅にわたって）連結エレメントの上で均一に分布されており、これによって、基礎の頭髪の周りおよび上で、連結エレメントの、改善され、かつより規則的な流出が得られる。これによって、強く、耐久性のある連結エレメントが基礎の頭髪とヘアエクステンションとの間に得られる。
【００１４】
とりわけ、上側アームは上側開口部を有している。好ましくは、閉鎖位置において、上側開口部および下側凹部は、溶融チャンバーを構成するよう近接して勘合している。特に、下側凹部および／または上側開口部は、それらの内側において、隆起された端部を有している。
【００１５】
溶融チャンバーにおいて連結エレメントの溶融を実行することにより、頭髪に沿っての流出が防がれ、また、強く、かつ規則的に形付けられてともに溶融された連結エレメントが、ヘアエクステンションと基礎の頭髪の束との間に得られる。
【００１６】
有利な形態において、上側アーム及び下側アームは、弧状の形状または凹状の形状を有している。
【００１７】
これによって、全ての開口部および凹部にわたる規則的な圧力分布が得られ、このことにより、全てのヘアエクステンションがともに均一に溶融され、そして、均一な形状からなる強い連結エレメントが形成される。
【００１８】
好ましくは、下側アームには、長手方向において、とりわけ金属からなる支持エレメントが設けられている。支持エレメントは、好ましくは、第２ハンドルヒンジおよび／またはクランプヒンジを備えている。
【００１９】
これによって、アプリケーションクランプが締めつけにより閉鎖されているときに、アプリケーションクランプのための良好な形状保持特性が得られる。下側アームおよび上側アームがプラスチックからなる場合、弧状の形状のアームにおいて変形が起こり、これよって、異なる溶融チャンバーおよびヘアエクステンションに対する把持力の差異が生じるかもしれない。このことは、不規則かつ不均一に溶融された連結部を生じさせるかもしれない。
【００２０】
好ましい形態は、その内側に柔軟な材料からなるカバーホイルが設けられた上側アームにより特徴づけられる。とりわけ、カバーホイルは、ゴムからなっており、より具体的にはシリコンゴムからなっている。好ましくは、カバーホイルは、上側アームの上側開口部の位置に、凹部を有している。またはカバーホイルは、上側アームの上側開口部の位置に、低減された厚みを有するホイル部分を有している。
【００２１】
このカバーホイルを適用することにより、規則的に溶融されて凝固された連結エレメントの形成が強力に改善される。この結果、ヘアエクステンションは、より強固に基礎の頭髪に固定され、そして、規則的に形付けられたエレメントが得られる。
【００２２】
シリコンゴムは、熱に対する耐性を有しており、溶融した連結エレメントに対してくっつかず、またはわずかにくっつくのみである。
【００２３】
有利な形態において、相互連結を伴うクランプ手段が、下側アームおよび上側アームをともに把持するために設けられている。とりわけ、クランプ手段は、偏心ハンドルと、第１ハンドルヒンジによって偏心ハンドルに連結されたハンドルアームと、ハンドルアームを下側アームに連結するための第２ハンドルヒンジと、を備えている。これらの手段によって、アプリケーションクランプは、単純かつ容易に閉鎖され得る。さらに、十分な圧力が、下側アームと上側アームとの間に位置する基礎の頭髪の束およびヘアエクステンションに対して及ぼされ得る。
【００２４】
本発明はまた、ヘアエクステンションを基礎の頭髪に取り付けるためのピンチアプリケータに関連している。ピンチアプリケータは、ハウジングと、弧状アームと、弧状アームに連結され、加熱用はさみ口を摺動させるための機構と、加熱用はさみ口と、を備えており、加熱用はさみ口は、アプリケーションクランプの上側開口部に対応する加熱用突起部を有している。
【００２５】
これらの手段を有するピンチャーを使用することにより、ヘアエクステンションが、アプリケーションクランプを利用して基礎の頭髪に容易に取り付けられる。
【００２６】
有利な形態において、連結手段が、アプリケーションクランプの連結手段と協働するよう配置されており、これによって、ピンチアプリケータとクランプとを連結することができる。このことにより、加熱工程の前、加熱工程の間、および加熱工程の後において、ピンチャーおよびアプリケーションクランプが、互いに対して正確に位置づけられたままとなる。
【００２７】
さらに、本発明は、ヘアエクステンションを基礎の頭髪に取り付けるためのヘアエクステンション組立体に関連している。ヘアエクステンション組立体は、キャリアホイルと、頭髪の束からなるヘアエクステンションと、ヘアエクステンションをキャリアホイルに固定し、さらに基礎の頭髪における取り付けの後にヘアエクステンションを基礎の頭髪に連結する連結エレメントと、を備えている。
【００２８】
とりわけ、連結エレメントは、ホットメルト粘着剤の一部からなっている。
【００２９】
連結エレメントによって取り外し可能にヘアエクステンションをキャリアホイルに固定することにより、ヘアエクステンションは、粘着性の層を利用することなく基礎の頭髪に取り付けられ得る。これによって、取り付けの後、連結エレメントが容易にキャリアホイルから取り外される。
【００３０】
本発明は、所定の形態における図によってさらに説明される。
【図面の簡単な説明】
【００３１】
【図１】図１は、基礎の頭髪に本発明によるアプリケーションクランプおよびキャリアホイル組立体が取り付けられた人の後頭部（頭の後部）を示している。
【図２】図２は、基礎の頭髪において閉鎖位置にある図１のアプリケーションホイルを示している。
【図３】図３は、アプリケーションクランプのピンチアプリケータの連結を示している。
【図４】図４は、本発明によるアプリケーションクランプを斜視図で詳細に示している。
【図５】図５は、カバーホイルを有する図４のアプリケーションクランプを斜視図で示している。
【図６】図６は、ヘアエクステンションおよび連結エレメントを伴うキャリアホイル組立体が設けられた図４のアプリケーションクランプを斜視図で示している。
【図７Ａ】図７Ａは、基礎の頭髪の束が設けられた図６のアプリケーションクランプを斜視図で示している。
【図７Ｂ】図７Ｂは、閉鎖位置におけるアプリケーションクランプを斜視図で示している。
【図８Ａ】図８Ａは、二列のくしエレメントを有するアプリケーションクランプのその他の形態を示している。
【図８Ｂ】図８Ｂは、閉鎖された把持位置における図８Ａのアプリケーションクランプを側面図で示している。
【図９Ａ】図９Ａは、閉鎖された把持位置におけるアプリケーションクランプを側面図で示している。
【図９Ｂ】図９Ｂは、開放された把持手段を有する閉鎖位置における図９Ａのアプリケーションクランプを側面図で示している。
【図１０Ａ】図１０Ａは、カバーホイルの一形態を正面図で示している。
【図１０Ｂ】図１０Ｂは、図１０Ａのカバーホイルを背面図で示している。
【図１１Ａ】図１１Ａは、支持エレメントを有するアプリケーションクランプを斜視底面図で示している。
【図１１Ｂ】図１１Ｂは図１１Ａの支持エレメントを示している。
【図１２】図１２は、ピンチアプリケータの加熱用はさみ口を側面図で示している。
【図１３】図１３は、挿入された加熱用はさみ口を有するアプリケーションクランプを側面図で示している。
【図１４】図１４は、アプリケーションクランプの溶融チャンバーにおける連結工程を側面図で詳細に示している。
【図１５】図１５は、連結エレメントの溶融の後の図１４の連結工程を側面図で詳細に示している。
【図１６Ａ】図１６Ａは、本発明による連結および溶融プロセスにおける別個の部分的な工程を側面図で詳細に示している。
【図１６Ｂ】図１６Ｂは、本発明による連結および溶融プロセスにおける別個の部分的な工程を側面図で詳細に示している。
【図１６Ｃ】図１６Ｃは、本発明による連結および溶融プロセスにおける別個の部分的な工程を側面図で詳細に示している。
【図１６Ｄ】図１６Ｄは、本発明による連結および溶融プロセスにおける別個の部分的な工程を側面図で詳細に示している。
【図１６Ｅ】図１６Ｅは、本発明による連結および溶融プロセスにおける別個の部分的な工程を側面図で詳細に示している。
【図１６Ｆ】図１６Ｆは、本発明による連結および溶融プロセスにおける別個の部分的な工程を側面図で詳細に示している。
【図１７Ａ】図１７Ａは、本発明によるピンチアプリケータを側面図で示している。
【図１７Ｂ】図１７Ｂは、図１７Ａのピンチアプリケータを断面図で示している。
【図１８】図１８は、ピンチアプリケータを斜視上面図で示している。
【図１９】図１９は、ピンチアプリケータを正面図で示している。
【図２０Ａ】図２０Ａは、被覆されたキャリアホイルと５つのヘアエクステンションとを有するヘアエクステンション組立体を斜視図で示している。
【図２０Ｂ】図２０Ｂは、ヘアエクステンションの連結エレメントとともに、被覆されたキャリアホイルを断面図で示している。
【発明を実施するための形態】
【００３２】
図１において、本発明によるヘアエクステンション２が、人のヘアスタイルの基礎の頭髪１に取り付けられており、これによって、ヘアエクステンション２および基礎の頭髪が、互いに補足し合い、そして、より大きなボリュームを有するヘッドドレスを提供している。ヘアエクステンション２は、連結エレメント４によってキャリアホイル３に固定されている。このキャリアホイル組立体は、アプリケーションクランプ１０の下側アーム１１に配置されている。アプリケーションクランプ１０は、頭髪分岐点５の近傍に取付けられている。基礎の頭髪の束１ａが、くしエレメント２７の間を介して導かれており、また、ヘアエクステンション２および連結エレメント４の方へ位置決めされている。
【００３３】
図２において、その後の工程でアプリケーションクランプ１０が閉鎖されること、また、クランプ手段１８を使用することによって上側アーム１２が下側アーム１１に締めつけにより連結されることが示されている。上側開口部１４を介して連結エレメント４は、視認可能となるとともにそれを溶融するための加熱のために到達可能となっている。
【００３４】
図３において、ピンチアプリケータ３０がアプリケーションクランプ１０に連結され、そして作動アーム３３を使用することにより、加熱用突起部３２を有する加熱用はさみ口３５が連結エレメント４に対して押圧され得るようになり、このことにより、連結エレメント４が溶融し、そしてヘアエクステンション２が基礎の頭髪の束１ａに取り付けられることが示されている。
【００３５】
図４において、本発明によるアプリケーションクランプ１０の好ましい形態が詳細に示されている。アプリケーションクランプ１０は、下側アーム１１と、上側アーム１２と、両方のアームの間に設けられたクランプヒンジ１７と、を備えている。アプリケーションクランプ１０はさらに、くしエレメント２７と、アーム１１，１２を互いに強固に把持するためのクランプ手段１８と、を有している。下側アーム１１には下側凹部１３が設けられており、また上側アーム１２には上側開口部１４が設けられている。アプリケーションクランプ１０の閉鎖位置において、下側凹部１３および上側開口部１４が対向して配置されており、これによって、溶融チャンバーがキャリアホイルとカバーホイルとの間に形成されている。
【００３６】
図５において、アプリケーションクランプ１０のその他の形態が示されている。アプリケーションクランプ１０は、上側アーム１２の内側に取り付けられたカバーホイル１６を有している。ホイル１６により、ヘアエクステンション２と基礎の頭髪の束１ａとの間に、改善された連結部４が得られる。連結部は、溶融の後、より規則的な形状を有している。隆起された端部１９が下側凹部１３の周りに設けられており、この場合、キャリアホイル３と、任意にはカバーホイル１６との間で締めつけられている。
【００３７】
図６において、キャリアホイル３、複数のヘアエクステンション２および連結エレメント４からなるキャリアホイル組立体（またはヘアエクステンション組立体）が下側アーム１１に取付けられていることが示されている。所望の位置決め用突起部２９、およびこれらに対応するキャリアホイル開口部６が正確な位置決めのために使用され得る場合、連結エレメント４が下側凹部１３の上方に正確に位置決めされる、ということが達成される。アプリケーションクランプ１０へのキャリアホイル組立体の好ましい固定を得るため、上側アーム１２が突起部用凹部４０を有していてもよい。
【００３８】
図７Ａにおいて、次の工程において、基礎の頭髪の束１ａがヘアエクステンション２および連結エレメント４上に正確に配置されるよう、基礎の頭髪の束１ａがくしエレメント２７の間に位置決めされることが示されている。上側アーム１２を閉鎖することにより、上側開口部１４が連結エレメント４の上に正確に配置される。クランプ手段１８は、下側アーム１１および上側アーム１２をともに強固に把持することができるものであるが、このクランプ手段１８は、この形態において、偏心ハンドル２１を備えている。偏心ハンドル２１は、第１ハンドルヒンジ２３と、ハンドルアーム２２と、第２ハンドルヒンジ２４とを含んでいる。偏心ハンドル２１を上側アーム１２の上側に配置し、そして前記ハンドルを上側アーム１２の方向において傾けることにより、大きな把持力が、アーム１１，１２の両方に対して、クランプヒンジ１７と協働して及ぼされる。
【００３９】
図７Ｂにおいて、鉛直に、直交して配置された偏心ハンドル２１による閉鎖位置におけるアプリケーションクランプ１０が示されている。上側アーム１２の上側において、連結手段２６が、ピンチアプリケータ３０に連結するために視認可能となっている。
【００４０】
図８Ａにおいて、アプリケーションクランプ１０の第３の形態が示されている。アプリケーションクランプ１０は、上部くしエレメント２７と、下部くしエレメント３７と、を下側アーム１１上に有している。好ましくは、等しい数のくしエレメント２７，３７が構成されており、これらは、対向するよう取り付けられている。これによって、方向付け用経路の連続した溝が構成される。この場合、基礎の頭髪の束１ａ（図１および７参照）およびヘアエクステンションが、互いの先端に配置され得る。くしエレメント２７，３７の間のＶ字状の凹部は、アプリケーションクランプ１０の閉鎖の前およびアプリケーションクランプ１０の閉鎖の間に基礎の頭髪の束１ａおよびヘアエクステンション２が相互に変動または変位しないということを確実にする。さらに、上部および下部くしエレメント２７，３７の使用は、基礎の頭髪の束１ａにおける頭髪の分離または変位を防ぐ。頭髪の分離または変位は、規則的に形付けられた溶融した連結部４の形成のうえで不利である。下側凹部１３は、この形態においては、図５におけるような隆起した端部を有していない。上側アーム１２はまた、図１０Ａおよび１０Ｂに示されるようなカバーホイル１６を位置決めして保持するための位置決め用突起部２９を有していてもよい。
【００４１】
図８Ｂにおいて、図８Ａの形態であって閉鎖位置にあるものが示されている。この場合、下側アーム１１上の下部くしエレメント３７は、上側アーム１２に対してまだ視認可能となっている。
【００４２】
図９Ａにおいて、第１ハンドルヒンジ２３および第２ハンドルヒンジ２４それぞれを有する閉鎖されたアプリケーションクランプ１０が側面図で示されている。さらに、わずかばかり湾曲したまたはくぼんだ形状の下側アームおよび上側アーム１２が示されており、この場合、開口部および凹部およびヘアエクステンション２の全てにわたって均一な圧力分布が得られている。
【００４３】
図９Ｂにおいて、開放されているクランプ手段１８を有するアプリケーションクランプ１０が側面図で示されている。クランプアーム２２が視認可能となっており、このクランプアーム２２は、偏心ハンドル２１上の第１ハンドルヒンジ２３と上側アーム１２の第２ハンドルヒンジ２４との間で延びている。
【００４４】
図１０Ａにおいて、図８Ａおよび８Ｂのアプリケーションクランプ１０において使用されるのに適切となっているカバーホイル１６の好ましい形態が示されている。図１０Ｂにおいて、背面側が、視認可能なものとして図５に示されている。正面側は、図１０Ａに示されているように、アプリケーションクランプの使用位置で上側アーム１２（図８Ａ）の内側１５に対して隣接している。凹部３８は、上側アーム１２における上側開口部１４の隆起された端部２０のちょうど内側に配置されている。カバーホイル１６は、位置決め用開口部３９（図８Ａ参照）によって上側アーム１２上の位置決め用突起部２９上に正確かつ強固に配置されていてもよい。凹部３８の場所において、カバーホイルの厚みが低減されており、その結果、カバーホイルを介しての加熱用突起部３２からの熱伝導が改善される（図１６Ａ−１６Ｂ参照）。
【００４５】
図１１Ａにおいて、アプリケーションクランプ１０の有利な形態が底面図で示されている。この場合、上側アーム１２の底面に支持エレメント２５が設けられている。好ましくは、この支持エレメント２５は金属からなっており、また支持エレメント２５は、クランプヒンジ１７、第２ハンドルヒンジ２４および第１ハンドルヒンジ２３の方へ延びている。これによって、アプリケーションクランプ１０が締めつけにより閉鎖されるとき、アプリケーションクランプ１０における改善された形状保持特性が得られる。下側アーム１１および上側アーム１２がプラスチックからなる場合、弧状のアームにおいて変形が生じるのが観測され、これによって、異なる溶融チャンバーおよびヘアエクステンション２に、把持力の差異が及ぼされる。把持力の差異は、不規則な、均一でない溶融連結を導くかもしれない。ブラスチック部分は、好ましくは、その形状保持特性を増加させるため、グラスファイバー強化プラスチックなどの強化プラスチックからなっている。
【００４６】
図１１Ｂにおいて、ハンドルヒンジ２４によって連結されたハンドルアーム２２を有する支持エレメント２５が詳細に示されている。
【００４７】
図１２において、加熱用突起部３２を有するピンチアプリケータ３０の加熱用はさみ口３５が詳細に示されている。これらの突起部３２は、それらがアプリケーションクランプ１０の上側開口部１４の中に挿入され得るような寸法を有している。
【００４８】
図１３において、ヘアエクステンション２の連結エレメント４に対する熱伝導の接触を得るため、加熱用突起部３２が上側アーム１２の上側開口部１４の中に挿入されることが示されている。
【００４９】
図１４において、カバーホイルおよびキャリアホイルをともに押圧し、これによって、連結エレメントおよび頭髪の束の周りに閉鎖されたチャンバーを構成するため、アプリケーションクランプ１０の上端部２０および下端部１９をともに把持することによって溶融チャンバーが形成されることが断面図で詳細に示されている。
【００５０】
図１５において、連結エレメントが溶融されること、および、適切な、規則的に形付けられた連結エレメントが溶融チャンバーにおいてカバーホイルとキャリアホイルとの間に形成されることが示されている。
【００５１】
図１６Ａにおいて、図４−６のアプリケーションクランプ１０の形態においてともに把持されている下側アーム１１および上側アーム１２の間に溶融チャンバー２８が構成されることが示されている。使用されているカバーホイルは、図１０Ａ−１０Ｂに示されるカバーホイル１６の形態となっている。アプリケーションクランプは、まだ開放位置となっている。
【００５２】
図１６Ｂにおいて、アプリケーションクランプは閉鎖されており、また溶融チャンバー２８が、下側アーム１１の下側凹部１３の隆起した端部１９と上側アーム１２の上側開口部１４の隆起した端部２０との間に形成されている。隆起した端部１９，２０の間で、キャリアホイル３およびカバーホイル１６が強固に把持されており、このため、溶融した連結エレメント４は、例えば頭髪に沿って流出することができない。これによって、規則的に形付けられた連結部が、ヘアエクステンション２と基礎の頭髪の束１ａとの間に得られる。上側アーム１２の内側でのカバーホイル１６の使用は、加熱用突起部３２が連結エレメント４にくっつかないという利点、および、規則的に形付けられた溶融した連結部が得られるという利点を有している。連結エレメント４を有するヘアエクステンション２が底面側に示されており、また、頂面側には基礎の頭髪の束１ａが（断面図で）示されている。凹部３８におけるカバーホイル１６の厚みが小さいことの結果として、この凹部がキャリアホイル３よりも柔軟かつ弾力のあるものとなっている。このため、連結エレメント４の位置におけるキャリアホイルは、わずかに変形されるのみであり、またカバーホイル１６は、強く変形されて伸ばされる。
【００５３】
図１６Ｃにおいて、加熱用突起部３２がカバーホイル１６の上側に当接させられるのが示されている。連結エレメント４への熱伝導は、凹部３８の位置におけるカバーホイル１６の小さな厚みの結果として改善されている。加熱用突起部３２は、溶融チャンバーを下方へ押圧し、これによって、カバーホイル１６の犠牲でキャリアホイル３を強く変形させる。
【００５４】
図１６Ｄにおいて、熱を図１６Ｃの連結エレメント４に供給した後の、カバーホイル１６とキャリアホイル３との間の溶融した連結エレメント４であって、拡大され誇張された図１４の一部が示されている。溶融した連結エレメント４は、ヘアエクステンションの頭髪と基礎の頭髪との間に完全に統合されている。印加された把持力の結果として、溶融連結４は、隆起した端部１９，２０の外側に流出していない。溶融した連結は、チャンバー全体を通って流れ、その結果、チャンバーが、その最もコンパクトな形状を採用して、その最もコンパクトな形状になる。好ましくは、カバーホイル１６は、シリコンゴムなどのゴムからなっており、これによって、連結エレメント４にともにくっつくことを防ぐことができ、また、余分な加熱によるカバーホイルの溶融の危険を取り除くことができる。好ましくは、ホットメルトまたはその他の同等の熱溶融性接着剤が連結エレメント４のために選択され、これによって、第１に、ヘアエクステンションがキャリアホイル３に固定され、その後、ホットメルトのうち固定された部分が、それらがヘアエクステンションと基礎の頭髪との間の強固な連結部を構成するよう溶融される。
【００５５】
図１６Ｅにおいて、加熱用突起部３２が取り除かれること、および、その大きな弾性の結果としてキャリアホイル３が水平方向において略平坦であること、が示されている。連結エレメント４のかたまり全体は上方へ流れる。なぜなら、カバーホイルは、あまり弾性的でもなく、または硬質でもないからである。この工程により、頭髪と連結エレメント４との混合および粘着が最適になる。ホイル３，１６における弾力性のあるはずみ運動により、凝固している連結エレメント４が、「可塑化」する、すなわちヘアエクステンションおよび基礎の頭髪の束１ａを通って流れる。
【００５６】
図１６Ｆにおいて、アプリケーションクランプが開放され、そしてカバーホイル１６が凝固した連結エレメント４から取り除かれるのが示されている。形成された連結エレメント４は、規則的な形状を有しており、また、滑らかな凸状の形状を有している。
【００５７】
上述の方法は、図８Ａ−８Ｂに示されるような形態のアプリケーションクランプ１０を用いて実施されてもよく、また、図１０Ａ−１０Ｂに示されるようなカバーホイル１６の形態により実施されてもよい。キャリアホイル３は、ここで本質的には、下側アーム１１の上側の面の上に平坦に横たわっている。なぜなら、隆起した端部１９を有する下側アーム１１の下側凹部１３が図１６Ａ−１６Ｂのようには設けられていないからである。カバーホイル１６は、上側開口部１４の隆起した端部２０の側部に凹部３８を有しており、従って、溶融チャンバー２８の内側におけるカバーホイル１６の厚みは、溶融チャンバーの外側における厚みよりも小さくなっている。図１０Ａ−１０Ｂを参照すると、隆起した端部２０の位置において、カバーホイルが実際には厚くなっており、これによって、把持力および閉鎖力が増加される。
【００５８】
例えば図６および図２０Ａに示されているようなキャリアホイル組立体５１（およびヘアエクステンション組立体）は、有利な形態においては、ポリエステルのような柔軟かつ弾性的なプラスチックからなるキャリアホイル３を備えている。このキャリアホイル３の柔軟性がカバーホイル１６よりも小さい場合、アプリケーションクランプ１０の把持位置における連結エレメント４は、上側開口部１４の方向において、カバーホイル１６を上方へ引き伸ばす、または引き上げる。このことは、加熱およびその後の冷却の間に、キャリアホイル３において上方に及ぼされた（弾性的な）力のため、溶融した連結エレメント４がヘアエクステンション２の頭髪および基礎の頭髪の束１ａを通って「溶ける」すなわち流れることができる、という利点を有している。これによって、連結エレメント４がヘアエクステンションおよび基礎の頭髪の束１ａ全域にわたって十分に分散され、この結果、凝固の後、強く、かつ規則的に形付けられた連結エレメントが形成される。
【００５９】
キャリアホイル組立体５１を使用し応用することを容易にするため、キャリアホイル３は、好ましくは、バインダー層または粘着層を有していない。ヘアエクステンション２の取り付けの間にバインダー層または粘着層がキャリアホイル３の上に存在する場合、基礎の頭髪１ａは、キャリアホイル３にくっつく、または粘着する。これによって、しばしば骨の折れることに、基礎の頭髪をキャリアホイル３から引き剥がすことが必要になる。
【００６０】
ポリエステルホイルのような滑らかなプラスチック上への、連結エレメント４の取り付けおよび粘着を可能にするため、および／または促進するため、連結エレメント４は、好ましくは、熱により取り外し可能なまたは溶解可能な（熱または熱的に取り外し可能な）リリース被覆部、例えば加硫接着剤によって取り付けられている。
【００６１】
図２０Ａおよび図２０Ｂの断面図に示されるような有利な形態において、キャリアホイル３は、ヘアエクステンション２が取り付けられているその上側に、熱により取り外し可能なまたは溶解可能な被覆部５０を有している。これによって、第１に、プラスチックホイル３の滑らかな面への連結エレメント４の結合が改善される。第２に、加熱されるとき、リリース被覆部５０が、キャリアホイル３および連結エレメント４の双方に対して、その結合特性を失う。これによって、溶融した連結エレメント４が、キャリアホイル３にくっつかなくなる、またはほとんどくっつかなくなる。従って、基礎の頭髪への取り付けの後、ヘアエクステンション２が、キャリアホイル３から容易に取り外される。熱により取り外し可能な被覆部５０は、好ましくは、その結合特性を１００〜２００度よりも高い温度で失い、また、低い温度で熱的に安定となる。これによって、製造の後、例えば搬送またはその他の作業の間、連結エレメント４がキャリアホイル３に強固に連結されたままとなる。
【００６２】
リリース被覆部５０は、図２０Ｂに示されるように単一の層として適用され得るが、複数の層から構成されてもよく、または複数の層で適用されてもよい。この場合、別個の層の組成が、互いに同一であってもよく、または、改善された取り外しおよび／または結合特性を有する複雑な層を得るため互いに逸れていてもよい。
【００６３】
熱的に取り外し可能な被覆部の適切な材料は、ヘキスト社（Ｈｏｅｃｈｓｔ）のＡ２４５６２、または日東電工社のＲｅｖａｌｐｈａからなっている。
【００６４】
図１７Ａにおいて、本発明による方法での使用のためのピンチアプリケータ３０が示されている。ピンチアプリケータ３０は、ハウジング３１と、作動ハンドル３３と、アプリケーションクランプ１０の連結手段２６に連結するための連結手段３６と、を備えている。
【００６５】
図１７Ｂにおいて、加熱用はさみ口３５（図示せず）と、作動ハンドル３３と加熱用はさみ口３５との間に取り付けられ、アプリケーションクランプ１０の上側開口部の中に摺動する機構３４と、を有するアプリケーションクランプ１０が断面図で示されている。
【００６６】
図１８において、ハウジングが取り外された頂部分で、加熱用突起部３２を有する加熱用はさみ口３５が上面図で示されている。
【００６７】
図１９において、ピンチアプリケータ３０の正面図で、この形態では５つの上側開口部１４を有するアプリケーションクランプ１０に対応するために５つの加熱用突起部３２を有する加熱用はさみ口３５が示されている。
【００６８】
ピンチアプリケータおよびアプリケーションクランプによってヘアエクステンションを取り付けるための、その他の等価な、当業者にとって自明な手段は、ここに説明される本発明の範囲内に含まれているとみなされる。
【図１】
0005450592.tif 000002
【図２】
0005450592.tif 000003
【図３】
0005450592.tif 000004
【図４】
0005450592.tif 000005
【図５】
0005450592.tif 000006
【図６】
0005450592.tif 000007
【図７Ａ】
0005450592.tif 000008
【図７Ｂ】
0005450592.tif 000009
【図８Ａ】
0005450592.tif 000010
【図８Ｂ】
0005450592.tif 000011
【図９Ａ】
0005450592.tif 000012
【図９Ｂ】
0005450592.tif 000013
【図１０Ａ】
0005450592.tif 000014
【図１０Ｂ】
0005450592.tif 000015
【図１１Ａ】
0005450592.tif 000016
【図１１Ｂ】
0005450592.tif 000017
【図１２】
0005450592.tif 000018
【図１３】
0005450592.tif 000019
【図１４】
0005450592.tif 000020
【図１５】
0005450592.tif 000021
【図１６Ａ】
0005450592.tif 000022
【図１６Ｂ】
0005450592.tif 000023
【図１６Ｃ】
0005450592.tif 000024
【図１６Ｄ】
0005450592.tif 000025
【図１６Ｅ】
0005450592.tif 000026
【図１６Ｆ】
0005450592.tif 000027
【図１７Ａ】
0005450592.tif 000028
【図１７Ｂ】
0005450592.tif 000029
【図１８】
0005450592.tif 000030
【図１９】
0005450592.tif 000031
【図２０Ａ】
0005450592.tif 000032
【図２０Ｂ】
0005450592.tif 000033